(57)【要約】【課題】  隣接する室内に臭気や湿気などを漏らすことなく、効率の良い換気を行うことができるドア構造を提供する。【解決手段】屋外との間に窓２１ａが設けられたトイレ２１と、これに隣接する廊下２２との間の出入口ドア１０の構造であって、出入口ドア１０には、開口部１０ａが設けられ、この開口部１０ａには、廊下２２側からトイレ２１側へ通気し、トイレ２１側から廊下２２側へは通気しない蓋体１が設けられている。蓋体１は、開口部１０ａに装着される開口部材１１と、蓋片１２とを具備し、開口部材１１は、開口１１ｆが形成された傾斜面１１ｄが形成され、開口１１ｆを塞ぐようにしてトイレ２１側から傾斜面１１ｄに蓋片１２が当接され、蓋片１２は、トイレ２１内に負圧を生じた際に開口１１ｆを開き、負圧が解消された際に自重で開口１１ｆを閉じる。【選択図】  図１
2011042977.tif 000002
【特許請求の範囲】
【請求項１】
屋外との間に窓および／または換気扇が設けられた一方の空間と、これに隣接する他方の空間との間の出入口ドアの構造であって、
ドア本体には、このドア本体を貫通する開口部が設けられ、この開口部には、他方の空間側から一方の空間側へ通気し、一方の空間側から他方の空間側へは通気しない蓋体が設けられてなることを特徴とするドア構造。
【請求項２】
蓋体は、開口部に装着される略円筒状の開口部材と、略半円形状に形成され、切片に沿った直径方向の上下に突起が設けられた一対の蓋片とを具備し、
開口部材には、下側が一方の空間側寄りに上側が他の空間側寄りに傾斜する傾斜面が形成されるとともに、この傾斜面は、中央に上下に伸びる柱状の区画を残して、上記蓋片より一回り小さい略半円形状の一対の開口が形成されてなり、
これらの開口を塞ぐように一方の空間側から傾斜面に蓋片が当接されるとともに、蓋片の上下に設けられた突起が開口部材内に支持され、蓋片は、一方の空間内に負圧を生じた際に突起間を結ぶ直線を回転軸にして開口を開き、負圧が解消された際に自重で開口を閉じるようになされた請求項１記載のドア構造。
【請求項３】
一方の空間がトイレである請求項１または２記載のドア構造。
【発明の詳細な説明】
【技術分野】
【０００１】
本発明は、住宅内におけるトイレなどの空間と、それに隣接する他の空間との間のドア構造に関するものである。
【背景技術】
【０００２】
従来より、住宅内の空間は、屋外との間の壁に、窓や換気扇を設けて換気するようになされている。
【０００３】
しかし、効率良く換気するためには、上記した窓や換気扇と併用して、この空間と、それに隣接する他の空間とを仕切るドアにガラリやレジスターを設けたり（例えば、特許文献１参照）、ドアの下部を２ｃｍ程カットして通気可能なアンダーカット部を形成したり、この空間へ連通する吸気孔を設けたり（例えば、特許文献２参照）して換気する空間の通気性を良くすることが行われている。
【先行技術文献】
【特許文献】
【０００４】
【特許文献１】実用新案登録第３０７３３２５号公報
【特許文献２】特開平５−３３２０３７号公報
【発明の概要】
【発明が解決しようとする課題】
【０００５】
しかし、上記従来の換気構造の場合、屋外から空間に吹き込む外気風が勝ると、空間から、上記したガラリ、レジスター、アンダーカット部、吸気孔を介して空間内の空気が他の空間に逆流してしまう。この場合、空間がトイレなどの臭気を発生する空間である場合は、他の空間に臭気が漏れることとなる。また、空間が浴室などの湿気を発生する空間である場合は、他の空間に湿気が漏れることとなる。
【０００６】
本発明は係る実情に鑑みてなされたものであって、隣接する室内に臭気や湿気などを漏らすことなく、効率の良い換気を行うことができるドア構造を提供することを目的としている。
【課題を解決するための手段】
【０００７】
上記課題を解決するための本発明のドア構造は、屋外との間に窓および／または換気扇が設けられた一方の空間と、これに隣接する他方の空間との間の出入口ドアの構造であって、ドア本体には、このドア本体を貫通する開口部が設けられ、この開口部には、他方の空間側から一方の空間側へ通気し、一方の空間側から他方の空間側へは通気しない蓋体が設けられてなるものである。
【０００８】
また、上記ドア構造において、蓋体は、開口部に装着される略円筒状の開口部材と、略半円形状に形成され、切片に沿った直径方向の上下に突起が設けられた一対の蓋片とを具備し、開口部材には、下側が一方の空間側寄りに上側が他の空間側寄りに傾斜する傾斜面が形成されるとともに、この傾斜面は、中央に上下に伸びる柱状の区画を残して、上記蓋片より一回り小さい略半円形状の一対の開口が形成されてなり、これらの開口を塞ぐように一方の空間側から傾斜面に蓋片が当接されるとともに、蓋片の上下に設けられた突起が開口部材内に支持され、蓋片は、一方の空間内に負圧を生じた際に突起間を結ぶ直線を回転軸にして開口を開き、負圧が解消された際に自重で開口を閉じるようになされたものである。
【０００９】
さらに、上記ドア構造において、一方の空間がトイレとなされたものである。
【発明の効果】
【００１０】
以上述べたように、本発明によると、ドア本体を貫通する開口部に、他方の空間側から一方の空間側へ通気し、一方の空間側から他方の空間側へは通気しない蓋体を設けているので、開口部を介して一方の空間から他方の空間へと通気するのを防止することができる。したがって、一方の空間が臭気を発生するトイレであったり、湿気を発生する浴室であったりしても、他方の空間にこれらの臭気や湿気を漏らさず、快適な空間を保つことができる。
【００１１】
また、窓および／または換気扇から一方の空間内の空気を換気する場合は、開口部を介して他方の空間から一方の空間へと通気するので、効率良く一方の空間を換気することができる。
【図面の簡単な説明】
【００１２】
【図１】（ａ）は本発明に係るドア構造の全体構成の概略を示す正面図、( ｂ) は同図（ａ）のI-I 線断面図である。
【図２】図１（ａ）のII-II 線断面図である。
【図３】（ａ）は本発明に係るドア構造に用いられる蓋体の全体構成の概略を示す分解斜視図、（ｂ）は開口部材のフランジ面側から見た正面図である。
【図４】（ａ）および（ｂ）は、蓋体を構成する蓋片の平面図および正面図である。
【図５】本発明に係るドア構造を採用した住宅建物の間取りの一部分を示す間取り図である。
【発明を実施するための形態】
【００１３】
以下、本発明の実施の形態を図面を参照して説明する。
【００１４】
図１および図２はドア構造の全体構成の概略を示し、図３は同ドア構造に用いられる蓋体１を示し、図４は蓋体１を構成する蓋片１２を示し、図５は同ドア構造を採用した住宅建物２の間取りを示している。
【００１５】
すなわち、このドア構造は、トイレ２１と、このトイレ２１に隣接する廊下２２との間に設けられた出入口ドア１０に蓋体１を設けて構成されている。
【００１６】
蓋体１は、出入口ドア１０を貫通するように穿孔した直径約１１０ｍｍの開口部１０ａに設けられる。この蓋体１は、開口部材１１と、蓋片１２と、換気蓋１３とからなり、廊下２２からトイレ２１へ通気し、トイレ２１から廊下２２へは通気しないようになされている。蓋体１を構成する開口部材１１、蓋片１２および換気蓋１３は、金属素材、樹脂素材、またはこれらを複合した材料から構成することができる。
【００１７】
開口部材１１は、通気用スリット１１ａが設けられた円盤状のフランジ面１１ｂの片面に、円筒状に形成された円筒部１１ｃを設けて構成されている。円筒部１１ｃは、出入口ドア１０に穿孔した開口部１０ａ内に嵌挿可能な略円筒状に形成されている。この円筒部１１ｃ内には、傾斜面１１ｄが設けられている。この傾斜面１１ｄは、下側が円筒部１１ｃの一端側寄りに位置し、上側がフランジ面１１ｂ側寄りに位置するように傾斜して、この円筒部１１ｃ内を遮るように設けられている。この傾斜面１１ｄには、中央に柱状の仕切り部１１ｅを残してその両側に半円形状の開口１１ｆが形成されている。
【００１８】
蓋片１２は、上記した開口部材１１の円筒部１１ｃ内に設けられた開口１１ｆよりも一回り大きな略半円形状に形成され、切片に沿った直径方向の上下に突起１２ａが設けられている。この蓋片１２は、傾斜面１１ｄの仕切り部１１ｅの上下に設けられた支持部１１ｇに突起１２ａを嵌合することによって取り付けられ、開口１１ｆを閉塞するように傾斜面１１ｄに設けられる。この蓋片１２は、トイレ２ａに負圧を生じた際には、突起１２ａ間を結ぶ直線を回転軸にして開口１１ｆを開き、負圧が解消されると自重で開口１１ｆを閉じることとなる。この蓋片１２の切片と対向する円弧部分は、蓋片１２の他の部分よりも肉厚に形成された肉厚部１２ｂが形成されており、負圧で開いた蓋片１２が自重で容易に開口１１ｆを閉じることができるようになされている。どの程度の負圧に反応して蓋片１２が開いたり閉じたりするのかについては、傾斜面１１ｄの傾斜具合や、蓋片１２の素材や、この肉厚保部１２ｂの厚みなどに応じて調整することができる。
【００１９】
換気蓋１３は、通気用スリット１３ａが設けられた円盤状のフランジ面１３ｂの片面に、開口部材１１の円筒部１１ｃの先端に嵌合する略リング状の嵌合部１３ｃを設けて構成されている。
【００２０】
次に、この蓋体１を図５に示す住宅建物２のトイレ２１の出入口ドア１０に取り付ける方法について述べる。
【００２１】
図５において、２１はトイレ、２２は廊下、２３は玄関ホール、２４は玄関、２５は階段、２６は居室である。この間取りはあくまでも一例である。
【００２２】
まず、取り付けに先立って出入口ドア１０に開口部１０ａを穿孔する。この際、開口部１０ａは、特に出入口ドア１０のどの位置に穿孔するものであってもよいが、トイレ２１内の換気効率を考えると、トイレ２１に設けられた窓２１ａから離れた位置、すなわち出入口ドア１０の下端部付近に設けることが好ましい。
【００２３】
次いで、開口部材１１の円筒部１１ｃを、出入口ドア１０に穿孔された開口部１０ａの廊下２ｂ側から挿通し、この開口部１０ａのトイレ２ａ側から換気蓋１３を当接して開口部材１１の円筒部１１ｃと換気蓋１３とをビス１４で固定する。この際、開口部材１１の円筒部１１ｃの外周面と出入口ドア１０に穿孔された開口部１０ａの内周面との間から空気が漏れないように、シールリングまたはシール材１５を介在させて取り付けられる。
【００２４】
この際、開口部材１１は、傾斜面１１ｄの下側が円筒部１１ｃ内のトイレ側２１に位置し、上側が廊下２２側に位置するように固定される。
【００２５】
このようにして出入口ドア１０に蓋体１を設けたドア構造によると、トイレ２１の窓２１ａを開けてトイレ２１内の換気を行う場合、蓋体１からトイレ２１内に取り入れられる空気が窓２１ａから抜けることによって効率良くトイレ２１内の換気を行うことができる。すなわち、窓２１ａの外側で風が吹くと、トイレ２１内が負圧になり、この負圧によって蓋体１の蓋片１２が開口１１ｆを開くこととなり、トイレ２１内の空気は窓２１ａから屋外へと換気されることとなる。
【００２６】
また、窓２１ａを開けた時の風向きが悪くてトイレ２１内に風が吹き込むような場合であっても、蓋体１は、蓋片１２によって開口１１ｆが閉じられているので、トイレ２１の臭気が蓋体１を介して廊下２２へと流れることを防止することができる。したがって、住宅内環境がトイレ２１の臭気で悪化するといったことを防止することができる。
【００２７】
さらに、トイレ２１の窓２１ａを閉めた状態で、トイレ２１の出入口ドア１０を開けるような場合、トイレ２１が密閉されているため、出入口ドア１０を開ける時に空気抵抗で出入口ドア１０が重くなるが、蓋片１２によって開口１１ｆが開いて蓋体１から空気が抜けるので、空気抵抗を感じることなく容易に出入口ドア１０を開けることができる。
【００２８】
なお、本実施の形態において、トイレ２１には、窓２１ａを設けて換気をするようになされているが、窓２１ａではなく換気扇（図示省略）を設けて換気するように構成されたものであってもよい。この場合、屋外が無風であっても、換気扇によってトイレ２１内を強制的に負圧にすることができるので、蓋体１から空気を取り入れてトイレ２１内の換気を行うことが可能となる。
【００２９】
また、本実施の形態において、トイレ２１は、出入口ドア１０を挟んで廊下２２に隣接しているが、特に、このような廊下２２に限定されるものではなく、トイレ２１の臭気が漏れ出ることを防止することによって快適な空間を形成することができる空間であれば、玄関、吹き抜け空間、リビング、ダイニングなどに隣接するものであってもよい。
【００３０】
さらに、本実施の形態において、ドア構造は、トイレ２１の出入口ドア１０に蓋体１を設けて構成されているが、トイレ２１以外の空間であってもよく、例えば、浴室やキッチン（共に図示省略）の場合であってもよい。浴室の場合、浴室の湿気を他の室内空間に入れることなく、効率よく屋外に排気することができる。また、キッチンの場合、キッチンで調理している料理のニオイを隣接する廊下やリビングなどの他の室内空間に充満させることなく、効率よく換気扇から屋外に排気することができる。
【産業上の利用可能性】
【００３１】
本発明に係るドア構造は、住宅建物内のドアに設置して使用される。
【符号の説明】
【００３２】
１  蓋体
１０  出入口ドア
１０ａ  開口部
１１  開口部材
１１ｄ  傾斜面
１１ｅ  仕切り部（区画）
１１ｆ  開口
１２  蓋片
１２ａ  突起
２１  トイレ（一方の空間）
２１ａ  窓
２２  廊下（他方の空間）
【図１】
2011042977.tif 000003
【図２】
2011042977.tif 000004
【図３】
2011042977.tif 000005
【図４】
2011042977.tif 000006
【図５】
2011042977.tif 000007